(57)【要約】      （修正有）【課題】和服を簡単に収納できるとともに、和服にシワが入りにくい和服用ハンガーを提供する。【解決手段】和服用ハンガー１は、折り畳んだ和服を挟持する一対の上部挟持板２，３と、一対の下部挟持板４，５と、上部挟持板２，３の上方に延びる一対の保持部材６，７と、基部８を介して保持部材６，７と連結されるフック部９とを備える。保持部材６，７は、基部８に回転可能に軸支されている。下部挟持板４，５は、回動可能にワイヤ１０，１１，１３に軸支されている。一対の上部挟持板２，３と一対の下部挟持板４，５とは、それぞれの間隔を調節可能に設けられている。【選択図】図１
2011010883.tif 000002
【特許請求の範囲】
【請求項１】
折り畳んだ和服を吊持する和服用ハンガーであって、
前記和服を挟持する少なくとも一対の挟持板と、
前記一対の挟持板の上方にそれぞれ延在し、前記和服が挟持された状態において前記挟持板の上方に配置される前記和服を両側から保持する一対の保持部材と、
を備えることを特徴とする和服用ハンガー。
【請求項２】
前記一対の挟持板の間隔を調節する間隔調節手段を更に備えることを特徴とする請求項１に記載の和服用ハンガー。
【請求項３】
前記挟持板は、前記保持部材に対し回動可能に設けられていることを特徴とする請求項１又は２に記載の和服用ハンガー。
【発明の詳細な説明】
【技術分野】
【０００１】
本発明は、折り畳んだ和服を吊持する和服用ハンガーに関するものである。
【背景技術】
【０００２】
従来、個人又は業者が和服を収納する場合、和服を折り畳んだ後に和紙等で包んで、タンスの中に平たく横にして積み重ねることが一般的である。しかしながら、このような収納方法では、折り畳んだ和服を積み重ねるため、湿気、カビ、虫食い等が生じ易いという問題がある。また、積み重ねによって和服の生地にシワを残り易く、更に、着用したい和服を探し出すのに手間がかかる問題があった。上述の問題を解決する器具として、例えば特開平１０−１６５２８５号公報には、和服掛け用ロッドと帯掛け用ロッドとクリップとを有する和服用ハンガーが記載されている。
【先行技術文献】
【特許文献】
【０００３】
【特許文献１】特開平１０−１６５２８５号公報
【発明の概要】
【発明が解決しようとする課題】
【０００４】
しかし、上記特許文献１に記載の和服用ハンガーは、和服の収納作業が煩雑であるという点で改善の余地があった。すなわち、和服を収納する際、まず折り畳んだ和服をその袖部側が下向きとなるように和服掛け用ロッドと帯掛け用ロッドとの間に挿入し、重なり状態の両袖部の下端をクリップで掴み、次に和服をその丈の中間部で折り返し、丈下側を両袖部の上に重ねたうえ、この状態でハンガーを持ち上げて掛け具に掛ける必要がある。
【０００５】
本発明は、和服を簡単に収納できるとともに、和服にシワが入りにくい和服用ハンガーを提供することを目的とする。
【課題を解決するための手段】
【０００６】
本発明に係る和服用ハンガーは、折り畳んだ和服を吊持する和服用ハンガーであって、和服を挟持する少なくとも一対の挟持板と、一対の挟持板の上方にそれぞれ延在し、和服が挟持された状態において挟持板の上方に配置される和服を両側から保持する一対の保持部材と、を備えることを特徴とする。
【０００７】
本発明に係る和服用ハンガーによれば、折り畳まれた和服をそのまま又は和紙等に包んだ状態で縦に吊るすことができ、簡単に和服を収納できる。仮に、折り畳まれた和服の上端をクリップ等で単に保持して吊り下げた場合、和服の袖や裾が垂れ下がってしまうという不具合がある。和紙等に包んだ場合であっても、内部で和服が偏ってシワの原因となる。これに対し、本発明の和服用ハンガーは、折り畳んだ和服の袖や裾を一体的に挟持できる位置に挟持板が設けられている。このような位置で挟持すると、挟持板の上方に被挟持物の上部がはみ出すことになるが、一対の保持部材によってこの部分が折り曲がらないように保持できる。このため、和服にシワが入るのを十分に防止できる。
【０００８】
本発明に係る和服用ハンガーは、一対の挟持板の間隔を調節する間隔調節手段を更に備えることが好適である。この場合にあっては、和服の厚さに合わせて一対の挟持板の間隔を適宜に調節して和服を挟持することが可能となる。また、帯なども一緒に収納することが可能となる。
【０００９】
上記の挟持板は、保持部材に対し回動可能に設けられていることが好適である。かかる構成を採用することにより、一対の挟持板が挟持する部分に段差等があっても、これに応じて挟持面の角度が変わるので、和服を優しく挟持することが可能となる。
【発明の効果】
【００１０】
本発明によれば、和服を簡単に収納できるとともに、和服にシワが入るのを十分に防止できる。
【図面の簡単な説明】
【００１１】
【図１】本発明に係る和服用ハンガーの実施形態を示す斜視図である。
【図２】和服用ハンガーを開いた状態を示す斜視図である。
【図３】挟持板間隔の調節を示す斜視図である。
【図４】着物の本だたみの手順を示す説明図である。
【図５】本だたみされた着物を吊持した状態を示す正面図である。
【発明を実施するための形態】
【００１２】
以下、図面を参照しつつ本発明の好適な実施形態について詳細に説明する。なお、説明において同一の構成要素には同一の符号を付し、重複する説明を省略する。
【００１３】
本実施形態に係る和服用ハンガー１は、折り畳んだ和服を和紙などの包装体１７に収容してなる被挟持物１８をそれぞれ挟持する一対の上部挟持板２，３と、一対の下部挟持板４，５と、上部挟持板２，３の上方に延びる一対の保持部材６，７と、基部８を介して保持部材６，７と連結されるフック部９とを備えている。和服用ハンガー１は、被挟持物１８の所定の箇所を二対の挟持板２，３，４，５によって挟持できるようになっている（図５参照）。
【００１４】
上部挟持板２，３及び下部挟持板４，５は、被挟持物１８を挟持する挟持面２ａ，３ａ，４ａ、５ａを有し、これらの面には、軟らかい素材（例えば、フェルト）からなる滑り止めシートがそれぞれ貼り付けられている。一対の上部挟持板２，３及び一対の下部挟持板４，５のうち、同側に位置する上部挟持板２と下部挟持板４とは、これらの両端部に挿入して上下方向に延びるワイヤ１０，１１によってそれぞれ連結されている。これと同様に、もう一方側に位置する上部挟持板３と下部挟持板５とは、これらの両端部に挿入して上下方向に延びるワイヤ１２，１３によってそれぞれ連結されている。そして、下部挟持板４，５は、回動可能にワイヤ１０，１１，１２，１３に軸支されている。
【００１５】
保持部材６，７は、金属ワイヤからなり、上部挟持板２，３の一端部と他端部とを掛け渡すように略円弧状に形成されている。保持部材６，７の中央位置には、基部８が配置されている。保持部材６，７は、互いに平行して基部８を貫通し、基部８に回転可能に軸支されている。これによって、保持部材６，７に連結される上部挟持板２，３及び下部挟持板４，５は、一方に対して他方が開閉可能となる。
【００１６】
そして、一対の上部挟持板２，３と一対の下部挟持板４，５とは、それぞれの間隔を調節可能に設けられている。図３に示すように、上部挟持板２と下部挟持板４との両端部に架設されたワイヤ１０，１１は、保持部材６と略同一平面上に配置された平坦部１０ａ，１１ａと、挟持面２ａ，４ａから対向する上部挟持板３及び下部挟持板５側に突出する突出部１０ｂ，１１ｂとを有する。このように形成されたワイヤ１０，１１は、和服用ハンガー１の中心軸に対して左右対称に配置されておらず、ワイヤ１０は、その平坦部１０ａが上側に、突出部１０ｂが下側に配置されて、ワイヤ１１は、その平坦部１１ａが下側、突出部１１ｂが上側に配置されている。
【００１７】
一方、上部挟持板３と下部挟持板５との両端部に架設されたワイヤ１２，１３は、保持部材７と略同一平面上に配置されている。ワイヤ１２，１３には、係止部材１４，１５がそれぞれ設けられている。これらの係止部材１４，１５は、ワイヤ１２，１３に回転自在に軸支されると共に、ワイヤ１２，１３の長手方向に摺動可能に配置されている。係止部材１４，１５には、上部挟持板２と下部挟持板４との両端部に架設されたワイヤ１０，１１と係止するための溝が加工されている。本実施形態においては、ワイヤ１０，１１，１２，１３及び係止部材１４，１５によって間隔調節手段が構成されている。
【００１８】
図３（ａ）に示すように、係止部材１４，１５がワイヤ１０，１１の平坦部１０ａ，１１ａとそれぞれ係止した場合、一対の上部挟持板２，３及び一対の下部挟持板４，５の間隔を狭くすることができ、薄手の和服を収納する場合に適する。一方、図３（ｂ）に示すように、係止部材１４，１５がワイヤ１０，１１の段差部１０ａ，１１ａとそれぞれ係止した場合、一対の上部挟持板２，３及び一対の下部挟持板４，５の間隔を広くすることができ、厚手の和服を収納する場合や帯等を一緒に収納する場合に適する。
【００１９】
以下、図４を参照して着物１６の本だたみの手順を説明する。まず、衿を左側に、裾を右側にして着物１６を広げて、右脇縫い目Ｌ１に沿って折る（図４（ａ）参照）。続いて、衿を内側に折り、衽つけ線に沿って折り返して、衽の裏をだす。次に、手前の衽の上に向こう側の衽の裏を重ね合わせて、衽先と褄先とを揃える（図４（ｂ）参照）。続いて、上前身頃の脇線をもって背縫い目Ｌ２に沿って折り、下前の脇線に重ねる（図４（ｃ）参照）。続いて、上になった袖を袖つけ線で折り返し、身頃の上に重ねる。そして、下の袖を同じように身頃の下側に折り畳む（図４（ｄ）参照）。最後に、袖の長さに合わせて、二つ折りにする（図４（ｅ））。
【００２０】
このように本だたみされた着物１６を和紙や保管袋等の包装体１７に入れる。得られた被挟持物１８を和服用ハンガー１で吊持するには、まず、和服用ハンガー１を開いた状態で本だたみされた着物１６の裾１６ａが上方に向くように、被挟持物１８を一対の保持部材６，７の間まで差し込む。次に、着物１６の厚さに合わせて係止部材１４，１５の位置を変えることにより、上部挟持板２，３及び下部挟持板４，５の間隔を適宜に調節し、和服用ハンガー１を閉じて、係止部材１４，１５をワイヤ１０，１１と係止させ、上部挟持板２，３及び下部挟持板４，５を固定する。続いて、掛け具に和服用ハンガー１のフック部９を掛ける。このように、着物１６を簡単に吊り下げて収納することができる。
【００２１】
図５に示すように、本だたみされた着物１６を吊持した状態では、着物１６の裾部１６ａが上部挟持板２，３及び下部挟持板４，５に挟持され、裾１６ａより上方の着物１６の部分が一対の保持部材６，７の間に差し込まれて保持部材６，７により両側から保持されている。このように裾１６ａが上部挟持板２，３及び下部挟持板４，５により挟持されることで、着物１６を吊り下げた場合に裾１６ａの垂れ下がりを防止することができる。
【００２２】
また、上部挟持板２，３よりも上方に配置される着物１６が一対の保持部材６，７によって保持されるので、上部挟持板２，３より上方に配置される被挟持物１８の上部が折れ曲がるのを防止できる。その結果、着物１６をその本だたみされた状態に維持しつつ収納することができ、着物１６の生地にたるみの発生を抑制することができ、生地にシワが入りにくい。また、着物１６を吊持して収納し、タグなどの目印を付すことによって、着用したい着物１６を容易に探すことができる。
【００２３】
更に、下部挟持板４，５は、保持部材６，７に対し回動可能に設けられているので、本だたみされた着物１６に応じて下部挟持板４，５の挟持面４ａ，５ａの角度が調整することができ、着物１６を優しく挟持することが可能となる。
【００２４】
上述した実施形態は本発明に係る和服用ハンガーの一例を説明したものであり、本発明に係る和服用ハンガーは実施形態に記載したものに限定されるものではない。例えば、保持部材６，７が金属ワイヤから形成されているが、平板状の部材から形成されてもよい。また、上記の実施形態において、上部挟持板２，３及び下部挟持板４，５は、和服の吊持方向に対し縦に開閉自在となっているが、これに限らず、横に開閉自在としてもよい。また、間隔調節手段は、上述のものに限定されず、例えば係止部材の方を工夫してもよく、あるいはその他の間隔調節可能な機構を用いてもよい。
【符号の説明】
【００２５】
１…和服用ハンガー、２，３…上部挟持板、４，５…下部挟持板、６，７…保持部材、８…基部、９…フック部、１０，１１，１２，１３…ワイヤ、１４，１５…係止部材。
【図１】
2011010883.tif 000003
【図２】
2011010883.tif 000004
【図３】
2011010883.tif 000005
【図４】
2011010883.tif 000006
【図５】
2011010883.tif 000007